(57)【要約】【課題】壁面のパテ仕上げを簡単に済ますことが出来る枠レス風見切枠構造の提供。【解決手段】枠レス風見切枠構造は、開口部Ｋを有する壁Ｗと、開口部Ｋの内周面に縦勝ちにて取り付けられた見切縦枠１及び見切横枠２と、Ｌ形の縦見切材３及び横見切材４とコーナープレート８とで構成される。縦・横見切材３・４は見切縦枠１及び見切横枠２にそれぞれ装着される。コーナープレート８は、縦見切材３の上端３ｊより上、及び横見切材４の見切縦枠１に臨む端面４ｔから縦見切材３側の壁面部分８ａを覆うように取り付けられる。【選択図】図１
2018193692.tif 000002
【特許請求の範囲】
【請求項１】
開口部を有する壁と、
前面及び背面に長手方向に見切取付溝がそれぞれ凹設され、前記開口部の内周面に縦勝ちにて取り付けられた一対の見切縦枠及び見切横枠と、
見切取付部と、見切取付部の一方の側辺から延出された被覆片部とでＬ形に形成された縦見切材及び横見切材と、
前記被覆片部の板厚と同じ又は近似した厚みを有するコーナープレートとで構成され、
前記横見切材の見切取付部は、見切横枠の見切取付溝に全長に亘って装着され、横見切材の被覆片部にて見切取付溝から見切横枠に臨む壁面材の開口側端部を覆い、
前記横見切材の下縁より下の位置で、前記縦見切材の見切取付部が縦見切材の見切取付溝に装着され、縦見切材の被覆片部にて見切取付溝から見切縦枠に臨む壁の端部を覆い、
コーナープレートは、縦見切材の上端より上、及び横見切材の見切縦枠に臨む端面から縦見切材側の露出した壁面部分を覆うように取り付けられていることを特徴とする枠レス風見切枠のコーナー構造。
【請求項２】
開口部を有する壁と、
前面及び背面に長手方向に見切取付溝がそれぞれ凹設され、前記開口部の内周面に横勝ちにて取り付けられた一対の見切縦枠及び見切横枠と、
見切取付部と、見切取付部の一方の側辺から延出された被覆片部とでＬ形に形成された縦見切材及び横見切材と、
前記被覆片部の板厚と同じ又は近似した厚みを有するコーナープレートとで構成され、
前記縦見切材の見切取付部は、見切縦枠の見切取付溝に全長に亘って装着され、縦見切材の被覆片部にて見切取付溝から見切縦枠に臨む壁面材の端部を覆い、
前記左右の縦見切材の内側縁の延長線に挟まれる範囲で、横見切材の見切取付部が見切横枠の見切取付溝に装着され、前記横見切材の被覆片部にて見切取付溝から見切横枠に臨む壁面材の端部を覆い、
コーナープレートは、縦見切材の上端より上、及び横見切材の端面から見切横枠の露出部分並び見切横枠の端面に臨む壁面材の端部を覆うように取り付けられていることを特徴とする枠レス風見切枠のコーナー構造。
【請求項３】
壁の開口部の内周面に請求項１に記載の見切縦枠及び見切横枠を縦勝ちにて取り付け、
請求項１に記載の横見切材の見切取付部を見切横枠の見切取付溝の全長に亘って装着すると共に横見切材の被覆片部にて見切取付溝から見切横枠に臨む壁の端部を覆い、且つ前記横見切材の下縁より下の位置で、前記縦見切材の見切取付部を見切縦枠の見切取付溝に装着すると共に縦見切材の被覆片部にて見切取付溝から見切縦枠に臨む壁の端部を覆い、
請求項１に記載のコーナープレートにて、縦見切材の上端から上、及び横見切材の見切縦枠に臨む端面から縦見切材側の壁面部分を覆い、
壁面材からコーナープレート及び前記被覆片部を含む壁面にパテを塗着して当該面を平坦面とし、
然る後、壁に貼着したクロスを前記平坦面に貼着し、クロスの端部を見切取付溝に挿入して該端部を貼着する、又は前記平坦面を含む壁に壁材を塗着して塗り壁とすることを特徴とする枠レス風見切枠のコーナー構造の施工方法。
【請求項４】
壁の開口部の内周面に請求項２に記載の見切縦枠及び見切横枠を横勝ちにて取り付け、
請求項２に記載の縦見切材の見切取付部を見切縦枠の見切取付溝の全長に亘って装着すると共に縦見切材の被覆片部にて見切取付溝から見切縦枠に臨む壁の端部を覆い、且つ前記左右の縦見切材の内側縁の延長線に挟まれる範囲で、横見切材の見切取付部が見切横枠の見切取付溝に装着され、前記横見切材の被覆片部にて見切取付溝から見切横枠に臨む壁面材の端部を覆い、
請求項２に記載のコーナープレートにて、縦見切材の上端から上、及び横見切材の端面から見切横枠の露出部分並びに見切横枠の端面に臨む壁面材の端部を覆うように取り付け、
壁面材からコーナープレート及び被覆片部を含む壁面にパテを塗着して当該面を平坦面とし、
然る後、壁に貼着したクロスを前記平坦面に貼着し、クロスの端部を見切取付溝に挿入して該端部を貼着する、又は前記平坦面を含む壁に壁材を塗着して塗り壁とすることを特徴とする枠レス風見切枠のコーナー構造の施工方法。
【発明の詳細な説明】
【技術分野】
【０００１】
本発明は、開き戸やスライド式戸、或いは窓などの開口部に施工される枠レス風見切枠のコーナー構造とその施工方法に関する。
【背景技術】
【０００２】
住宅の壁は、在来工法（木造軸組工法）、ツーバイフォー工法（木造枠組壁工法）、プレハブ工法（軽量鉄骨造）その他さまざまな工法により、壁構造や厚みも多様である。
これに対して見切縦枠及び見切横枠をその構成要素として含み、開口部の内周面に施工される見切枠は、多種類のものを用意することが出来ないため、最も薄い壁の厚みに合わせて製作される。そして見切縦枠及び見切横枠の表裏に設けられた見切取付溝に装着された縦・横見切材によって壁の厚みに対する見切枠の幅との寸法差を吸収すると共に見切枠と開口部との間の隙間を被覆している。
【０００３】
図１４はその一例で、見切枠Ｂの見切縦枠３０の施工状態の部分断面図であるが、これに示すように、住宅の開口部Ｋの内周面には、壁面材Ｗｈに挟まれた柱２４や梁（図１４には図示せず）が露出する。前記開口部Ｋは見切枠Ｂより大きく形成されているため、縦枠取付調整材２１や横枠取付調整材（図１２には図示せず）を介して開口部Ｋの内周面に見切縦枠３０と見切横枠（図１４には図示せず）が施工され、更に見切縦枠３０や見切横枠に断面コ字状の縦見切材５０や横見切材（図１４には図示せず）が取り付けられてこれら柱２４や梁、壁面材Ｗｈの端面及び縦枠取付調整材２１や横枠取付調整材が外部に露出しないように隠される。なお、見切縦枠３０と見切横枠、縦見切材５０や横見切材は同じ断面形状を持つ。
【０００４】
上記断面コ字状の縦見切材５０や図示しない横見切材と、これらがそれぞれ装着された見切縦枠３０や図示しない見切横枠の開口部Ｋは、二段額縁のような外観を呈し、戸や窓に洋風な趣を与え、且つ重厚感を増すものとして好まれ、広く施工されている。
【０００５】
処が茶室の窓のように、窓枠を用いないシンプルな造形が壁Ｗに求められる場合には、上記のような二段額縁が無粋に映るため、コ字状の縦見切材５０（横見切材）に代わるＬ形の縦・横見切材４０・４１（図１３）を用い、クロス施工後の壁Ｗの正面視で縦・横見切材４０・４１を目立たなくするような工夫が提案されている。
【０００６】
上記Ｌ形の縦・横見切材４０・４１を用いる工法として、図１５−１７（縦勝ち）又は図１８（留め）に示すような工法がある。
縦勝ち施工の場合、図１５に示すように見切縦枠３０に施工された縦見切材４０の折り曲げ側である見切取付部４０ｂと、見切横枠３１に施工された横見切材４１の端面４１ｃとの間に、縦見切材４０や横見切材４１の被覆片部４０ａ・４１ａに覆われていない見切縦枠３０とその見切取付溝３０ｍの一部とが露出した段状の深い凹み４５と、見切縦枠３０と壁面材Ｗｈの開口部Ｋの下縁Ｋｄとの間の隙間Ｒの部分に孔４５ａが発生する。この部分を図１６に於いて、２種類の斜め格子で示す。細かい格子部分が孔４５ａを示し、粗い格子部分が凹み４５を示す。
【０００７】
続いてクロス張りを行うが、これに先立って開口部Ｋを構成するコーナー部分（図１５の薄墨部分）全体が平滑面となるように、パテ４６（或いはモルタル）にて表面仕上げがなされる。その際に上記段状の深い凹み４５と孔４５ａを埋める必要があるが、この補修作業には熟練を要する。
そして壁Ｗ側から開口部Ｋに向かって貼り付けたクロス６５は、縦見切材４０及び横見切材４１の被覆片部４０ａ・４１ａ全体を覆うように貼り付けられ、その端部を縦見切材４０及び横見切材４１の見切取付部４０ｂ・４１ｂが挿入されている見切取付溝３０ｍ・３１ｍに押し込み、壁Ｗの外部露出面を覆う。以上のように縦勝ち施工では、見切縦枠３０の上端内側面に見切横枠３１の端部が当接するように施工するだけなので見切横枠３１の施工が簡単であるもののパテ（或いはモルタル）塗工が難しい。
【０００８】
そこで、図１８のように見切縦枠７０及び見切横枠７１の突合せ部分７７を４５度に切除して開口部Ｋの内周面に設置し、更にこれに合わせて縦見切材８０及び横見切材８１の突合せ部分８７を４５度に切除して「留め加工」することも提案されたが、上記４５度の留め加工は精度が必要で大工手間が掛る。
上記のいずれの工法も簡便な開口部Ｋのコーナー部分の作業としては採用し難い。
【０００９】
また、枠レス風見切枠の別法として、引用文献１に示すような工法も提案されている。この工法では加工手間が生じないもののクロスの端部が露出しており、経年劣化によってクロスの端部が剥がれてくるという問題がある。
【先行技術文献】
【特許文献】
【００１０】
【特許文献１】特開２００９-１２７２６５号公報
【発明の概要】
【発明が解決しようとする課題】
【００１１】
本発明は、留め加工のような精密な大工手間を必要とせず、また、壁面のパテ（或いはモルタル）仕上げも簡単に済ますことが出来る枠レス風見切枠構造及びその施工方法を提供することを課題とする。
【課題を解決するための手段】
【００１２】
請求項１に記載の発明は、見切横枠２に対して見切縦枠１が「縦勝ち」に組み付けられた場合（図１〜１０）で、
開口部Ｋを有する壁Ｗと、
前面及び背面に長手方向に見切取付溝１ｍ・２ｍがそれぞれ凹設され、前記開口部Ｋの内周面に縦勝ちにて取り付けられた一対の見切縦枠１及び見切横枠２と、
見切取付部３ｂ・４ｂと、見切取付部３ｂ・４ｂの一方の側辺から延出された被覆片部３ａ・４ａとでＬ形に形成された縦見切材３及び横見切材４と、
前記被覆片部３ａ・４ａの板厚と同じ又は近似した厚みを有するコーナープレート８とで構成され、
前記横見切材４の見切取付部４ｂは、見切横枠２の見切取付溝２ｍに全長に亘って装着され、横見切材４の被覆片部４ａにて見切取付溝２ｍから見切横枠２に臨む壁面材Ｗｈの開口側端部Ｗ１を覆い、
前記横見切材４の下縁４ｓより下の位置で、前記縦見切材３の見切取付部３ｂが縦見切材３の見切取付溝１ｍに装着され、縦見切材３の被覆片部３ａにて見切取付溝１ｍから見切縦枠１に臨む壁Ｗの端部Ｗ１を覆い、
コーナープレート８は、縦見切材３の上端３ｊより上、及び横見切材４の見切縦枠１に臨む端面４ｔから縦見切材３側に露出した壁面部分８ａを覆うように取り付けられていることを特徴とする枠レス風見切枠のコーナー構造である。
【００１３】
請求項２に記載の発明は、見切横枠２に対して見切縦枠１が「横勝ち」に組み付けられた場合（図１１，１２）で、
開口部Ｋを有する壁Ｗと、
前面及び背面に長手方向に見切取付溝１ｍ・２ｍがそれぞれ凹設され、前記開口部Ｋの内周面に横勝ちにて取り付けられた一対の見切縦枠１及び見切横枠２と、
見切取付部３ｂ・４ｂと、見切取付部３ｂ・４ｂの一方の側辺から延出された被覆片部３ａ・４ａとでＬ形に形成された縦見切材３及び横見切材４と、
前記被覆片部３ａ・４ａの板厚と同じ又は近似した厚みを有するコーナープレート８とで構成され、
前記縦見切材３の見切取付部３ｂは、見切縦枠１の見切取付溝１ｍに全長に亘って装着され、縦見切材３の被覆片部３ａにて見切取付溝１ｍから見切縦枠１に臨む壁面材Ｗｈの端部Ｗ１を覆い、
前記左右の縦見切材３の内側縁３ｓの延長線３ｓ’に挟まれる範囲で、横見切材４の見切取付部４ｂが見切横枠２の見切取付溝２ｍに装着され、前記横見切材４の被覆片部４ａにて見切取付溝２ｍから見切横枠２に臨む壁面材Ｗｈの端部Ｗ１を覆い、
コーナープレート８は、縦見切材３の上端３ｊより上、及び横見切材４の端面４ｔから見切横枠２の露出部分並び見切横枠２の端面に臨む壁面材Ｗｈの端部Ｗ１を覆うように取り付けられていることを特徴とする枠レス風見切枠のコーナー構造である。
【００１４】
請求項３に記載の発明方法は、請求項１の施工方法で、
壁Ｗの開口部Ｋの内周面に請求項１に記載の見切縦枠１及び見切横枠２を縦勝ちにて取り付け、
請求項１に記載の横見切材４の見切取付部４ｂを見切横枠２の見切取付溝２ｍの全長に亘って装着すると共に横見切材４の被覆片部４ａにて見切取付溝２ｍから見切横枠２に臨む壁Ｗの端部Ｗ１を覆い、且つ前記横見切材４の下縁４ｓより下の位置で、前記縦見切材３の見切取付部３ｂを見切縦枠１の見切取付溝１ｍに装着すると共に縦見切材３の被覆片部３ａにて見切取付溝１ｍから見切縦枠１に臨む壁Ｗの端部Ｗ１を覆い、
請求項１に記載のコーナープレート８にて、縦見切材３の上端３ｊから上、及び横見切材４の見切縦枠１に臨む端面４ｔから縦見切材３側の壁面部分８ａを覆い、
壁面材Ｗｈからコーナープレート８及び前記被覆片部３ａ・４ａを含む壁面にパテ１６を塗着して当該面を平坦面Ｈとし、
然る後、壁Ｗに貼着したクロス５を前記平坦面Ｈに貼着し、クロス５の端部５ａを見切取付溝１ｍ・２ｍに挿入して該端部５ａを貼着する、又は前記平坦面Ｈを含む壁Ｗに壁材を塗着して塗り壁とすることを特徴とする枠レス風見切枠のコーナー構造の施工方法である。
【００１５】
請求項４に記載の発明方法は、請求項２の施工方法で、
壁Ｗの開口部Ｋの内周面に請求項２に記載の見切縦枠１及び見切横枠２を横勝ちにて取り付け、
請求項２に記載の縦見切材３の見切取付部３ｂを見切縦枠１の見切取付溝１ｍの全長に亘って装着すると共に縦見切材３の被覆片部３ａにて見切取付溝１ｍから見切縦枠１に臨む壁Ｗの端部Ｗ１を覆い、且つ前記左右の縦見切材３の内側縁３ｓの延長線３ｓ’に挟まれる範囲で、横見切材４の見切取付部４ｂが見切横枠２の見切取付溝２ｍに装着され、前記横見切材４の被覆片部４ａにて見切取付溝２ｍから見切横枠２に臨む壁面材Ｗｈの端部Ｗ１を覆い、
請求項２に記載のコーナープレート８にて、縦見切材３の上端３ｊから上、及び横見切材４の端面４ｔから見切横枠２の露出部分並びに見切横枠２の端面に臨む壁面材Ｗｈの端部Ｗ１を覆うように取り付け、
壁面材Ｗｈからコーナープレート８及び被覆片部３ａ・４ａを含む壁面にパテ１６を塗着して当該面を平坦面Ｈとし、
然る後、壁Ｗに貼着したクロス５を前記平坦面Ｈに貼着し、クロス５の端部５ａを見切取付溝１ｍ・２ｍに挿入して該端部５ａを貼着する、又は前記平坦面Ｈを含む壁Ｗに壁材を塗着して塗り壁とすることを特徴とする枠レス風見切枠のコーナー構造の施工方法である。
【発明の効果】
【００１６】
これによりコーナープレート８が、図１〜１０に示すように縦勝ち、又は図１１，１２に示されたように横勝ちで施工された縦見切材３の上端３ｊと横見切材４の端部４ｔに望む壁面部分８ａを、凹み４５や孔４５ａなどを発生させることなく、切れ目のない状態で被覆することが出来、それ故、通常のパテ（或いはモルタル）仕上げで当該壁面部分８ａを含む縦勝ち、又は横勝ち施工のコーナー部分の平面度を確保することが出来る。その結果、枠レス風見切枠Ａの施工が極めて容易になる。
【図面の簡単な説明】
【００１７】
【図１】本発明の見切枠を縦勝ちで施工したドア部分の正面図である。
【図２】図１のＸ−Ｘ矢視断面図である。
【図３】図２における要部拡大部分断面斜視図である。
【図４】図１のコーナー部分におけるコーナープレート及び縦・横見切材の装着前の拡大部分断面斜視図である。
【図５】図４における縦・横見切材の装着後の拡大部分断面斜視図である。
【図６】図５におけるコーナープレート装着後の拡大部分断面斜視図である。
【図７】図６におけるパテ等補修材塗着部分を示す拡大部分断面斜視図である。
【図８】図７におけるクロス貼着後の拡大部分断面斜視図である。
【図９】図６の拡大部分正面図である
【図１０】図９のＹ−Ｙ矢視断面図である。
【図１１】横勝ち施工おける縦・横見切材の装着後の拡大部分断面斜視図である。
【図１２】図１１の拡大部分正面図である。
【図１３】本発明に使用される見切材の斜視図である。
【図１４】従来例（二重額縁）のコーナー部分の平断面図である。
【図１５】従来例（縦勝ち）のコーナー部分でＬ形の見切材を使用した時の斜視図である。
【図１６】図１５の拡大正面図である。
【図１７】図１６のＺ−Ｚ矢視断面図である。
【図１８】従来例（留め）のコーナー部分の斜視図である。
【発明を実施するための形態】
【００１８】
以下、本発明を図示実施例に従って説明する。図１は、開口部Ｋにドア１０が取り付けられた例で、開口部Ｋの内周側面に左右一対の見切縦枠１、及び内周上縁の下面に見切横枠２が縦勝ち（或いは横勝ち）で取り付けられている。図１の薄墨部分は、後述する縦・横見切材３・４及びコーナープレート８を示す。
【００１９】
壁Ｗは、上記のように在来壁やツーバイフォー壁その他さまざまなものがありその壁厚は工法によって異なる。通常、在来工法の壁厚が最も大きく、ツーバイフォー工法の壁厚はこれより薄い。これに対して、本発明で用いられる見切枠Ａは１種類で、その幅は最も狭い壁厚に合わせてある。
壁Ｗには、所定位置に出入口や窓となる開口部Ｋが、窓枠（図示せず）やドア１０用の見切枠Ａに対して余裕を持った大きさで設けられる。開口部Ｋの内周面には柱２４や梁２５、壁面材Ｗｈの端面が露出するので、見切枠Ａでこれを覆う。以下、ドア１０用の開口部Ｋを中心に説明するが、窓の場合でも適用可能である。
【００２０】
見切枠Ａは左右一対の見切縦枠１と、見切縦枠１の前・背面に取り付けられる２対４個の縦見切材３、及び見切縦枠１の上端内側面の間に配設される見切横枠２とその前・背面に取り付けられる２個の横見切材４とで構成される。見切枠Ａの構造としては、見切縦枠１と見切横枠２の組み方で縦勝ちのものと、横勝ちのものの２種類がある。縦勝ちのものを主として説明し、その後、横勝ちのものを説明する。横勝ちに付いては、共通する部分は縦勝ちの説明を援用し、異なる部分のみを主として説明する。
【００２１】
見切縦枠１及び見切横枠２は、芯材の表面に化粧シートが貼り付けられたもので、芯材の材質は、木製（木材、合板、中比重繊維板、パーティクルボード、集成材等）、或いは樹脂製である。現場で見切材３を接着剤とピンタッカーとによって固定することを考慮すると、その芯材は木製であることが好ましい。
見切縦枠１及び見切横枠２は、厚薄のある様々な壁厚に対応する必要があるため、その幅は前述のように在来壁の壁厚以下、ツーバイフォー壁の壁厚以上で、通常、最も壁厚の狭い壁Ｗに合わせてある。
【００２２】
そして見切縦枠１及び見切横枠２の前面及び背面には、その長手方向全長に亘って見切取付溝１ｍ・２ｍが凹設されている。見切取付溝１ｍ・２ｍの開口幅は、後述する縦見切材３及び横見切材４の見切取付部３ｂ・４ｂの挿入幅（厚み）より大きく、見切取付部３ｂ・４ｂを見切取付溝１ｍ・２ｍに挿入した時、両者の隙間（クロス端挿入用隙間Ｔ）は、少なくとも後述するクロス５の厚みより大となるように形成されている。
見切取付溝１ｍ・２ｍの深さは、最も壁厚の小さいツーバイフォー壁に見切枠Ａを取り付けた際に、挿入されたその見切取付部３ｂ・４ｂが見切取付溝１ｍ・２ｍの奥端に届かない深さに形成され、逆に最も壁厚の大きい在来壁に見切枠Ａを取り付けた際に、その見切取付部３ｂ・４ｂの長さは見切取付溝１ｍ・２ｍに挿入される長さに形成される。
そして、見切縦枠１の開口部Ｋ側の面にはその中心に長手方向全長に亘って戸当たり溝１ｃが凹設され、戸当たり９が嵌め込まれる。
【００２３】
本実施の形態に係る縦・横見切材３・４は、用いる方向によってその符号を区別しているが同じ形状で、被覆片部３ａ・４ａとその一辺に直角方向に設けられた見切取付部３ｂ・４ｂとで構成されたＬ形の部材である。縦・横見切材３・４は全体を樹脂の押出成形で形成した単一部材（Ｌ字形に押し出した押出成形品）としてもよいし（図示せず）、図１３のように後述のＬ形の見切基材３ｈ・４ｈと、直方体棒状の補強材３ｋ・４ｋとで構成した複合部材としてもよい。以下の実施例は後者を中心として説明する。
【００２４】
複合部材の見切材３・４における見切基材３ｈ・４ｈは、矩形シート状の部材の一辺をＬ字型に直角に屈曲させ、屈曲部分の内隅に補強材３ｋ・４ｋを貼り合せたものである。  見切基材３ｈ・４ｈは、硬い材質の樹脂を用い、前記屈曲部分に折り曲げるための溝（図示せず）を設けたり、折り曲げを容易にするために屈曲部分に軟質樹脂部分を用いた２色成形シートなどが用いられる。勿論、Ｌ形の押出成形品を使用することもできる。
【００２５】
補強材３ｋ・４ｋを貼り合せた部分が見切取付部３ｂ・４ｂで、残りの部分が被覆片部３ａ・４ａである。
見切基材３ｈ・４ｈの被覆片部３ａ・４ａは、見切取付溝１ｍ・２ｍに装着時、見切取付溝１ｍ・２ｍから後述する隙間Ｒを越えて壁面材Ｗｈの見切縦枠１又は見切横枠２に臨む端部Ｗ１を覆うことが出来る幅に設けられている。
図示しないが、見切基材３ｈ・４ｈは、厚みが均一なシート状或いはＬ形押出部材を用いてもよいし、図１３のように屈曲部分と、その近傍から見切取付部３ｂ・４ｂにかけての部分を厚く、当該部分から被覆片部３ａの先端側を薄く形成し、その境目に段差３ｎ・４ｎを設けてもよい。
なお、被覆片部３ａ・４ａの板厚は０．３ｍｍ、見切取付部３ｂ・４ｂを含む厚肉部分の基材板厚は０．５ｍｍで、前記段差３ｎ・４ｎは０．２ｍｍ程度の極く小さいものである。
【００２６】
上記補強材３ｋ・４ｋは、見切基材３ｈ・４ｈの屈曲部分の入隅側内面に接着され、基材部分と補強材３ｋ・４ｋとで見切取付部３ｂ・４ｂが構成される。
そして、補強材３ｋ・４ｋの反対側の面の全面又は一部には、矩形又は帯状の紙７がエチレン酢酸ビニル接着剤等によって必要に応じて接着されている。これにより、クロス５を巻き込んでその巻き込み端部５ａを貼り付け易くなり、又、塗り壁を塗る際の親和性が高くなる。
【００２７】
なお、見切基材３ｈ・４ｈの厚みは、補強材３ｋ・４ｋの厚みよりも薄く、被覆片部３ａ・４ａの上にクロス５を貼り付けた場合、または被覆片部３ａ・４ａの上を壁材で覆う塗り壁にされた場合に、被覆片部３ａ・４ａの端面の段差３ｎ・４ｎが目立だない厚みとする。（通常はパテ１６（或いはモルタル）のような補修材を塗って段差が目立たないようにしてからクロス張り或いは塗り壁とする。塗り壁に付いては図示していない。）
【００２８】
また、見切基材３ｈ・４ｈは、補強材３ｋ・４ｋに比べて柔軟で、壁Ｗの表面に沿うように柔らかく撓む材料、例えば補強材３ｋ・４ｋが木材の場合、見切基材３ｈ・４ｈは補強材３ｋ・４ｋより柔軟な材料、例えばプラスチック製であることが好ましい。なお、パテ１６と壁Ｗとの密着性を良くするため、被覆片部３ａ・４ａには、パンチング加工によって多数の孔３ｆ・４ｆが設けられている。
【００２９】
補強材３ｋ・４ｋは、比較的硬質な材料、例えば木質材、樹脂等で作り得るが、現場での長さ調節と、釘又は接着剤等を用いて行う固定のし易さ等を考慮すると木製（木材、合板、中比重繊維板、パーティクルボード、集成材等）であることが好ましい。
補強材３ｋ・４ｋの厚みは、見切縦枠１や見切横枠２の見切取付溝１ｍ・２ｍの開口幅とクロス５の厚み、及び必要に応じて張り付けられた紙７の厚み（紙７の厚みは通常、無視できる程度の厚さ）によって決まる。即ち、上記のように縦・横見切材３・４の見切取付部３ｂ・４ｂの挿入幅（紙７を貼り付けた場合、紙７の厚みも含む。）は、前記開口幅から差し引いた差分（即ち、クロス端挿入用隙間Ｔ）が、クロス５の厚み以上になるように選定される。
【００３０】
コーナープレート８は、見切基材３ｈ・４ｈと同じ材質で形成された四角の薄板状のもので、適所に複数の孔８ｆが穿設されている。その板厚は、被覆片部３ａ・４ａと同じに形成されている。
【００３１】
次に見切枠Ａの開口部Ｋへの縦勝ち施工について説明する。横勝ち施工については後述する。開口部Ｋの内周面を構成する上縁（この実施例では梁２５）の下面に横枠取付調整材２２を介して見切横枠２を取り付け、続いて（或いはこれに先んじて）縦枠取付調整材２１を介して開口部Ｋの内周面を構成する内側面に左右一対の見切縦枠１を取り付ける。  縦・横枠取付調整材２１・２２の厚みは、開口部Ｋの大きさ、ドア１０の幅や高さなどが勘案されて決まり、上縁の下面に取り付けられた見切横枠２の両端に左右の見切縦枠１の上端部が接するように調整される。この時、図３から分かるように壁面材Ｗｈの端面と見切縦枠１（見切横枠２も同様）との間に隙間Ｒが発生する。 
【００３２】
然る後、横見切材４の見切取付部４ｂを見切横枠２の見切取付溝２ｍの全長に亘って挿入し、見切取付部４ｂの入隅側内面を見切取付溝２ｍの壁側内面に接着する。これにより見切取付部４ｂの外面と見切取付溝２ｍの開口側内面との間に隙間（クロス端挿入用隙間Ｔ：図９、図１０参照）が形成される。そして、横見切材４の被覆片部４ａは、見切取付溝２ｍから隙間Ｒを越えて壁Ｗの端部Ｗ１を覆う。被覆片部４ａは、接着剤とピンタッカーを用いて壁面材Ｗｈに固定される。
【００３３】
同様に縦見切材３の見切取付部３ｂを見切縦枠１の見切取付溝１ｍに挿入し、見切取付部３ｂの入隅側内面を見切取付溝１ｍの壁側内面に接着する。これにより見切取付部３ｂの外面と見切取付溝１ｍとの間に隙間（クロス端挿入用隙間Ｔ）が形成される。この縦見切材３の被覆片部３ａは、見切取付溝１ｍから隙間Ｒを越えて壁Ｗの端部Ｗ１を覆う。被覆片部３ａは、接着剤とピンタッカーを用いて壁面材Ｗｈに固定される。上記縦見切材３と横見切材４の施工順序はどちらが先になってもよい。
この時、縦見切材３の上端３ｊは、横見切材４の下縁４ｓ（見切取付溝２ｍに挿入されている見切取付部４ｂの屈曲部分）と一致する位置、或いはそれより下で前記下縁４ｓの近傍位置に取り付けられる。これにより、被覆片部３ａの上端３ｊより上の部分では縦見切材３が存在しない、見切縦枠１が露出する壁面部分８ａ（この部分を図４に於いて斜め点線枠で示す。更に、図４〜６において、壁面材Ｗｈの開口部Ｋのための切除端内面を薄墨で示す。）が生じる。
【００３４】
続いて図７に示すように、上記見切縦枠１の近傍の壁面材Ｗｈと見切縦枠１が露出する壁面部分８ａ（縦方向は、縦見切材３の上端３ｊから横見切材４の上端４ａ１に一致する高さまで、横方向は、被覆片部３ａの先端３ａ１に一致する線から横見切材４の端面４ｔまでの四角面）にコーナープレート８を貼り、最終的に壁Ｗからコーナープレート８及び被覆片部３ａ・４ａを含む部分と横見切材４の上端４ａ１及び被覆片部３ａの先端３ａ１並びにコーナープレート８を超える部分まで均一にパテ１６などの補修材を塗着し、当該部分を均一な平坦面Ｈとする。（図７において、前記平坦面Ｈを薄墨で示す。）
この時、被覆片部３ａ・４ａの孔３ｆ・４ｆ及びコーナープレート８の孔８ｆを通って背面までパテ１６等が塗り込まれ、壁面材Ｗｈにこれらが固着される。このパテ施工は従来例で示したような大きな凹み４５や孔４５ａを埋める必要がなく簡単である。
【００３５】
上記のようにパテ１６等による平滑仕上げがなされたら、図８に示すように、壁Ｗに貼り付けたクロス５を見切枠Ａに向かって貼り付けて行き、見切取付溝１ｍ・２ｍより上に出ている見切基材３ｈ・４ｈの表面を全て覆うように貼り付ける。図８ではクロス５を薄墨で示す。
そして見切基材３ｈ・４ｈの屈曲部分を超える位置でクロス５を切断し、見切基材３ｈ・４ｈに巻き込んで貼り付ける。（この部分にコーキング剤６を充填してもよい。）
この時、見切取付部３ｂ・４ｂに貼り付けた紙７があれば、クロス５の端部５ａの強固な接着が可能となる。（或いは、塗り壁の場合、見切取付溝１ｍ・２ｍより上に出ている見切基材３ｈ・４ｈの表面を全て壁材で覆う塗り壁とするが、紙７の存在により、壁材の塗着が容易となる。）
【００３６】
見切枠Ａの取り付け終了後、見切縦枠１に戸当たり９を嵌め、丁番１１にドア１０を取り付けて施工を終了する。
【００３７】
次に、横勝ち施工に付いて説明する（図１１，１２）。横勝ち施工に用いられる見切縦枠１及び見切横枠２は、横勝ち施工と比較して長さが異なるだけで、断面形状は同じである。縦見切材３及び横見切材４も見切縦枠１及び見切横枠２に合わせてあり、同様に寸法が異なるだけで、構造及び断面形状は同じである。
横勝ち施工では、左右の見切縦枠１の上端に見切横枠２が乗るように施工される。扉１０、及び縦・横枠取付調整材２１・２２との関係は既述の通りである。
【００３８】
そして、縦見切材３の見切取付部３ｂを見切縦枠１の見切取付溝１ｍの全長に亘って装着する。これにより縦見切材３の上端３ｊは見切横枠２の下面にほぼ一致する。縦見切材３の被覆片部３ａは、見切縦枠１の見切取付溝１ｍから隙間Ｒを越えて見切縦枠１に臨む壁Ｗの端部Ｗ１を覆う。
【００３９】
次に横見切材４の見切取付部４ｂを見切横枠２の見切取付溝２ｍに装着する。横見切材４の装着範囲は、左右の縦見切材３の内側縁３ｓの上への延長線３ｓ’に挟まれる範囲である。換言すれば、左右の縦見切材３の内側縁３ｓの延長線３ｓ’と横見切材４の端部４ｔがほぼ一致する。これにより、横見切材４の端部４ｔから見切横枠２の両端が露出する。
横見切材４の見切取付部４ｂが見切横枠２の見切取付溝２ｍに装着されると、前記横見切材４の被覆片部４ａにて見切取付溝２ｍから隙間Ｒを越えて見切横枠２に臨む壁面材Ｗｈの端部Ｗ１が覆われる。なお、縦・横見切材３・４の施工順序はいずれが先でも良い。
【００４０】
コーナープレート８は上記と同じもので、縦見切材３の上端３ｊから上、及び横見切材４の端面４ｔから見切横枠２の露出部分並び見切横枠２の端面に臨む壁面材Ｗｈの端部Ｗ１を覆うように取り付けられる。これによりコーナー部分は縦勝ち同様、コーナープレート８及び被覆片部３ａ・４ａでカバーされる。
【００４１】
然る後、パテ塗工、クロス（塗り壁）施工は縦勝ちと同様である。これによって、見切枠施工がより簡単な縦勝ち或いは横勝ち施工を採用することが出来て、和の雰囲気を醸し出す枠レス風施工が可能となる。
【符号の説明】
【００４２】
Ａ・Ｂ：見切枠、Ｈ：平坦面、Ｋ：開口部、Ｋｄ：下縁、Ｒ：壁端面と見切縦枠との隙間、Ｔ：クロス端挿入用隙間、Ｗ：壁、Ｗｈ：壁面材、Ｗ１：壁の（開口側）端部、１：見切縦枠、１ｃ：戸当たり溝、１ｍ：見切取付溝、２：見切横枠、２ｍ：見切取付溝、３：縦見切材、３ａ：被覆片部、３ａ１：先端、３ｂ：見切取付部、３ｆ：孔、３ｈ：見切基材、３ｊ：上端、３ｋ：補強材、３ｎ：段差、３ｓ：内側縁。３ｓ’：延長線、４：横見切材、４ａ：被覆片部、４ａ１：上端、４ｂ：見切取付部、４ｆ：孔、４ｈ：見切基材、４ｋ：補強材、４ｎ：段差、４ｓ：下縁、４ｔ：端面、５：クロス、５ａ：端部、６：コーキング剤、７：紙、８：コーナープレート、８ａ：壁面部分（コーナー部分）、８ｆ：孔、９：戸当たり、１０：ドア、１１：丁番、１６：パテ、２１：縦枠取付調整材、２２：横枠取付調整材、２４：柱、２５：梁、３０：見切縦枠、３０ｍ：見切取付溝、３１：見切横枠、３１ｍ：見切取付溝、４０：（Ｌ形）縦見切材、４０ａ：被覆片部、４０ｂ：見切取付部、４１：（Ｌ形）横見切材、４１ａ：被覆片部、４１ｂ：見切取付部、４１ｃ：端面、４５：凹み、４５ａ：孔、４６：パテ、５０：（コ字状）縦見切材、６５：クロス、７０：縦見切枠、７１：見切横枠、７７：突合せ部分、８０：縦見切材、８１：横見切材、８７：突合せ部分。
【図１】
2018193692.tif 000003
【図２】
2018193692.tif 000004
【図３】
2018193692.tif 000005
【図４】
2018193692.tif 000006
【図５】
2018193692.tif 000007
【図６】
2018193692.tif 000008
【図７】
2018193692.tif 000009
【図８】
2018193692.tif 000010
【図９】
2018193692.tif 000011
【図１０】
2018193692.tif 000012
【図１１】
2018193692.tif 000013
【図１２】
2018193692.tif 000014
【図１３】
2018193692.tif 000015
【図１４】
2018193692.tif 000016
【図１５】
2018193692.tif 000017
【図１６】
2018193692.tif 000018
【図１７】
2018193692.tif 000019
【図１８】
2018193692.tif 000020